(57)【要約】【課題】座布団を桟敷に固定することなく、投げられることが防止できる桟敷用連結座布団を提供することを目的とする。【解決手段】桟敷用連結座布団１は、二枚の略二人分の着座面を有する座布団２ａ，２ｂどうしが間隔をあけてバイアス紐３ａ，３ｂにより連結されているものである。桟敷に敷かれた座布団２ａ，２ｂの、一直線に並ぶ厚み外縁にバイアス紐３ａ，３ｂが縫合されて連結がされている。この桟敷用連結座布団１は、観戦方向に対して座布団２ｂ、間隔、座布団２ａの配置で桟敷に敷かれる。【選択図】図１
0003152942.tif 000002
【実用新案登録請求の範囲】
【請求項１】
略一人分の着座面または／および略二人分の着座面を有する複数の座布団どうしが隣接して、或いは間隔をあけて紐状体により連結されていることを特徴とする桟敷用連結座布団。
【請求項２】
桟敷に敷かれた前記複数の座布団の、一直線に並ぶ厚み外縁に縫合、または接着されたバイアス紐で前記連結がされていることを特徴とする請求項１に記載の桟敷用連結座布団。
【請求項３】
二枚の前記略二人分の着座面を有する座布団どうしが間隔をあけて前記紐状体により連結されていることを特徴とする請求項１に記載の桟敷用連結座布団。
【請求項４】
前記略一人分の着座面を有する座布団と、前記略二人分の着座面を有する座布団とが間隔をあけて前記紐状体により連結されていることを特徴とする請求項１に記載の桟敷用連結座布団。
【請求項５】
二枚の前記略一人分の着座面を有する座布団どうしが間隔をあけて前記紐状体により連結されていることを特徴とする請求項１に記載の桟敷用連結座布団。
【請求項６】
前記間隔をあけて連結された前記複数の座布団どうしが観戦方向に対して座布団、間隔、座布団の配置で桟敷に敷かれることを特徴とする請求項１に記載の桟敷用連結座布団。
【請求項７】
桟敷に付された履物置き部に隣接して敷かれることを特徴とする請求項１に記載の桟敷用連結座布団。
【考案の詳細な説明】
【技術分野】
【０００１】
本考案は、桟敷の観客席に敷かれる座布団に関するものである。
【背景技術】
【０００２】
大相撲などのスポーツや演芸の観客席として、桟敷といわれる板敷の観客席がある。観客は、この桟敷上に敷かれた座布団に座って観戦や観劇を楽しむ。
【０００３】
ところが、観客は、スポーツ等に熱中するあまり、座布団を選手等に向かって投げてしまう場合がある。特に大相撲では、禁止されているにもかかわらず、番狂わせがあった場合や、贔屓にする力士が負けた場合にしばしば座布団が投げられてしまう。
【０００４】
座布団は、柔らかいものではあるが、人に当たった場合に怪我を負わせたり、観客の弁当や飲料に当たった場合に周囲を汚したりする可能性がある。座布団は、平板状であるので、ブーメランのように回転させながら飛ばすと予想以上に飛び、しかも真っ直ぐに飛んだり、カーブしたり戻ったりもして飛ぶため、思わぬ場所で被害を発生させる可能性がある。
【０００５】
座布団を投げさせないように、桟敷の板に座布団自体を固定することも考えられる。例えば、特許文献１には、固定ベルト付きの座布団が記載されている。この記載された座布団は背もたれに固定ベルトで固定するタイプである。この固定ベルトで桟敷に固定を行えば座布団が投げられることは防止できる。
【先行技術文献】
【特許文献】
【０００６】
【特許文献１】特開２００６−２９６７３７号公報
【考案の概要】
【考案が解決しようとする課題】
【０００７】
しかしながら大相撲や演芸などが行われる施設は、開催される催しに合わせて、桟敷席としたり、椅子席としたりするように、観客席のレイアウトを変更する必要がある。このため、桟敷と座布団とを固定することは、桟敷や座布団の設置や撤去の簡便性の観点から難しい。また、座布団を桟敷に固定してしまうことは、桟敷の掃除等の観点からも難しい。
【０００８】
本考案は前記の課題を解決するためになされたもので、座布団を桟敷に固定することなく、投げられることが防止できる桟敷用連結座布団を提供することを目的とする。
【課題を解決するための手段】
【０００９】
前記の目的を達成するためになされた実用新案登録請求の範囲の請求項１に記載の桟敷用連結座布団は、略一人分の着座面または／および略二人分の着座面を有する複数の座布団どうしが隣接して、或いは間隔をあけて紐状体により連結されていることを特徴とする。
【００１０】
請求項２に記載の桟敷用連結座布団は、請求項１に記載されたもので、桟敷に敷かれた前記複数の座布団の、一直線に並ぶ厚み外縁に縫合、または接着されたバイアス紐で前記連結がされていることを特徴とする。
【００１１】
請求項３に記載の桟敷用連結座布団は、請求項１に記載されたもので、二枚の前記略二人分の着座面を有する座布団どうしが間隔をあけて前記紐状体により連結されていることを特徴とする。
【００１２】
請求項４に記載の桟敷用連結座布団は、請求項１に記載されたもので、前記略一人分の着座面を有する座布団と、前記略二人分の着座面を有する座布団とが間隔をあけて前記紐状体により連結されていることを特徴とする。
【００１３】
請求項５に記載の桟敷用連結座布団は、請求項１に記載されたもので、二枚の前記略一人分の着座面を有する座布団どうしが間隔をあけて前記紐状体により連結されていることを特徴とする。
【００１４】
請求項６に記載の桟敷用連結座布団は、請求項１に記載されたもので、前記間隔をあけて連結された前記複数の座布団どうしが観戦方向に対して座布団、間隔、座布団の配置で桟敷に敷かれることを特徴とする。
【００１５】
請求項７に記載の桟敷用連結座布団は、請求項１に記載されたもので、桟敷に付された履物置き部に隣接して敷かれることを特徴とする。
【考案の効果】
【００１６】
本考案の桟敷用連結座布団によれば、複数の座布団どうしが紐状体で連結されていることにより、自分の座っている座布団を投げようとしても、他人の座っている座布団に連結しているため、他人が重りとなって、座布団が投げられることを防止することができる。また、桟敷に固定することなく、座布団どうしが紐状体で連結されているだけなので、桟敷および座布団の設置や撤去、および桟敷の掃除を簡便、迅速に行うことができる。
【００１７】
本考案の桟敷用連結座布団によれば、桟敷に敷かれた複数の座布団の、一直線に並ぶ厚み外縁に縫合、または接着されたバイアス紐で連結がされていることにより、安価かつ簡便に製造することができる。また、バイアス紐は柔らかいので、複数の座布団どうしを重ねて積み上げることができる。
【００１８】
本考案の桟敷用連結座布団によれば、二枚の略二人分の着座面を有する座布団どうしが間隔をあけて紐状体により連結されていることにより、四人の座る桟敷のうちの一人が座布団を投げようとしても、他の三人の重りが掛っているので、座布団が投げられることを一層防止することができる。
【００１９】
本考案の桟敷用連結座布団によれば、略一人分の着座面を有する座布団と、略二人分の着座面を有する座布団とが間隔をあけて紐状体により連結されていることにより、四角形状でない桟敷にも敷くことができる。
【００２０】
本考案の桟敷用連結座布団によれば、二枚の略一人分の着座面を有する座布団どうしが間隔をあけて紐状体により連結されていることにより、狭い桟敷にも敷くことができる。
【００２１】
本考案の桟敷用連結座布団によれば、間隔をあけて連結された複数の座布団どうしが観戦方向に対して座布団、間隔、座布団の配置で桟敷に敷かれることにより、観戦方向に対して前後に座る観客どうしを密着しすぎず適度な間隔に保って着座させることができる。また、座布団が略二人分の着座面を有する座布団である場合には、例えば夫婦などのように親密な二人を隣同士に並ばせて観戦を行わせることができる。
【００２２】
本考案の桟敷用連結座布団によれば、桟敷に付された履物置き部に隣接して敷かれることにより、桟敷への出入りの際に履物を脱いだり履いたりするのに便利である。
【図面の簡単な説明】
【００２３】
【図１】本考案を適用する桟敷用連結座布団が桟敷に敷かれた状態を示す斜視図である。
【図２】本考案を適用する別の桟敷用連結座布団を示す斜視図である。
【図３】本考案を適用するさらに別の桟敷用連結座布団を示す斜視図である。
【考案を実施するための形態】
【００２４】
以下、本考案を実施するための好ましい形態について、詳細に説明するが、本考案の範囲はこれらの形態に限定されるものではない。
【００２５】
図１には、本考案を適用する桟敷用連結座布団１が桟敷に敷かれた状態の斜視図が示されている。この桟敷は、一例として、大相撲観戦用の一枡の桟敷席（四人用）である。同図に示されるように、一枡の桟敷席は、床上に並置された桟敷台１０ａ，１０ｂの上に、敷物１１が敷かれて設置され、さらにその上に桟敷用連結座布団１が敷かれている。
【００２６】
敷物１１は、一例として、略正方形状の赤いカーペットである。桟敷台１０ａ，１０ｂは、各々同様の形状であり、別個に持ち運んで設置、撤去可能なものである。この桟敷台１０ａ，１０ｂは、木材によって長方形状に枠組みされ、敷物１１が敷かれる上面側（図の上側）は板張り（非図示）されて平坦になっている。桟敷台１０ａ，１０ｂは、並置された状態で、敷物１１よりも一辺部で外側に突出する履物置き部１５ａ，１５ｂを有している。履物置き部１５ａ，１５ｂは、上面側が板張りされておらず、下面側が板張りされていて、靴や草履などの履物を置けるようになっている。この履物置き部１５ａ，１５ｂは、非図示の通路の下に丁度収まるように、桟敷台１０ａ，１０ｂが設置される。
【００２７】
桟敷用連結座布団１は、略二人分の着座面を有する二枚の座布団２ａ，２ｂどうしが、所定の間隔をあけて、紐状体であるバイアス紐３ａ，３ｂによって分離不可に連結されている。
【００２８】
具体的には、座布団２ａは、二人座り用の長座布団であって、一例として、縦１２５０ｍｍ×横５００ｍｍ×厚さ５０ｍｍの長方形状（横長の四角形状）に形成されている。その材質は、一例として、クッション材が難燃性の軟質ウレタンであり、このクッション材を包む表地が防燃性のテトロン（登録商標）である。この表地は、一例として青色をしており、座布団２ａの縦方向の中間部分には、着座する二人の位置を仕切るための仕切表示９ａが濃紺の細い帯状に表示されている。
【００２９】
座布団２ｂは、座布団２ａと同様に構成されている。座布団２ａと座布団２ｂとは、一例として３００ｍｍの所定間隔で長辺（縦の辺）どうしが対向し合うように並列配置されて、バイアス紐３ａ，３ｂによってこの所定間隔で分離不可に連結されている。具体的には、この並置された座布団２ａ，２ｂどうしの、一対の、一直線に並ぶ厚み外縁に、バイアス紐３ａ，３ｂが縫合されて連結されている。
【００３０】
バイアス紐３ａは、両端部分の縫合部５ａ，５ｂ（縫い代）を除いた長さが、座布団２ａ，２ｂを敷くときに離隔すべき間隔と同じ３００ｍｍで、幅が座布団の厚さと同様の５０ｍｍの、バイアステープとも呼ばれる細長い柔軟な帯に形成されている。その厚さは薄く数ｍｍ程度であるが、同図では、解りやすくするために、実際よりも厚く図示している。その材質は、一例としてテトロン（登録商標）である。バイアス紐３ｂは、バイアス紐３ａと同様に形成されている。バイアス紐３ａ，３ｂは、各縫合部５ａ，５ｂが座布団２ａ，２ｂにしっかりと縫い付けられている。
【００３１】
この桟敷用連結座布団１は、次のように使用される。
【００３２】
図１に示されるように、桟敷の敷物１１の上に、バイアス紐３ａ，３ｂが弛まずに真直ぐに伸びるように座布団２ａ，２ｂを敷く。これにより、座布団２ａ，２ｂを、離隔すべき所定の３００ｍｍ間隔に簡便、迅速に敷くことができる。このとき、座布団２ａ，２ｂが観戦方向に対して座布団２ｂ（２ａ）、間隔、座布団２ａ（２ｂ）となる配置で桟敷に敷く。つまり、土俵に対して、前列（座布団２ｂ）に二人隣接して並び、後列（座布団２ａ）に二人隣接して並んで着座して、前列と後列との間に間隔があくように桟敷用連結座布団１を敷く。また、桟敷に付された履物置き部１５ａ，１５ｂに隣接して桟敷用連結座布団１が敷かれる。
【００３３】
大相撲観戦の際には、座布団２ａに二人、座布団２ｂに二人の計四人が桟敷用連結座布団１に着座する。例えば、座布団２ａの片側に座った人が、その座布団２ａを投げようとする場合、座布団２ａには、もう一人が座っていて重りとなり、さらに、二人が座る座布団２ｂが繋がっているので重りとなるので、座布団２ａを持ち上げることができない。桟敷用連結座布団１に少なくとも一人でも着座していれば、それが重りとなって持ち上げることができず、桟敷用連結座布団１が投げられることが防止される。
【００３４】
また、仮に桟敷用連結座布団１に誰も座っていなかったとしても、観客が、１枚の通常の座布団ならまだしも、この繋がっている桟敷用連結座布団１を投げるということは考えにくい。さらに、万が一、桟敷用連結座布団１を投げたとしても、一枚の板状ではないので、ブーメランのように遠くまで飛ぶことはない。
【００３５】
この桟敷用連結座布団１は、桟敷に固定されていないので、その撤去や、桟敷の掃除を簡便に行うことができる。また、バイアス紐３ａ，３ｂは柔軟であるので、座布団２ａ，２ｂどうしを重ね合わせて収容することも可能である。
【００３６】
次に、本考案を適用する別の桟敷用連結座布団１ａについて説明する。
【００３７】
図２には、二人座り用の座布団２ａと、一人座り用の座布団２ｃとをバイアス紐３ａで分離不可に連結した三人用の桟敷用連結座布団１ａが示されている。なお、以下においてすでに説明した構成と同様の構成については同じ符号を付して詳細な説明を省略する。
【００３８】
座布団２ｃは、一例として、縦６２５ｍｍ×横５００ｍｍ×厚さ５０ｍｍの四角形状の大きさで、座布団２ａと同様の材質で形成されている。
【００３９】
一対の座布団２ａと座布団２ｃとは、同図に示されるように、異なる大きさであって、桟敷が四角形状でない場合に用いられる。
【００４０】
座布団２ａと座布団２ｃとは、各長辺どうしを対向し合うように並置されている。この座布団２ａと座布団２ｃとの一直線に並ぶ厚み外縁にバイアス紐３ａの縫合部５ａ，５ｂが縫合されている。このため、三人用の桟敷用連結座布団１ａであっても、少なくとも一人が着座していれば、それが重りとなって投げられることが防止される。
【００４１】
この桟敷用連結座布団１ａは、前列に座布団２ａが敷かれ後列に座布団２ｃが敷かれるか、または、前列に座布団２ｃが敷かれ後列に座布団２ａが敷かれる。この桟敷用連結座布団１ａが敷かれる桟敷席にも履物置き部１５ａ，１５ｂが付される。
【００４２】
次に、本考案を適用するさらに別の桟敷用連結座布団１ｂについて説明する。
【００４３】
図３には、一人座り用の座布団２ｃと、これと同様に形成された一人座り用の座布団２ｄとをバイアス紐３ａで分離不可に繋いだ二人用の桟敷用連結座布団１ｂが示されている。
【００４４】
一対の座布団２ｃと座布団２ｄとは、同図に示されるように、同じ大きさであって、桟敷が狭い場合に用いられる。座布団２ｃ，２ｄは、桟敷用連結座布団１ａと同様にバイアス紐３ａで繋げられている。このため、二人用の桟敷用連結座布団１ｂであっても、一人が着座していれば、それが重りとなって投げられることが防止される。
【００４５】
この桟敷用連結座布団１ｂは、前列に座布団２ｄ（２ｃ）が敷かれ後列に座布団２ｃ（２ｄ）が敷かれる。この桟敷用連結座布団１ｂが敷かれる桟敷席にも履物置き部１５ａが付される。
【００４６】
なお、上記の桟敷用連結座布団１，１ａ，１ｂでは、バイアス紐３ａ（３ｂ）で座布団２ａ，２ｂ（２ｃ，２ｄ）を連結した例について説明したが、座布団どうしを連結するものであれば、帯や紐であってもよいし、革製ベルトであってもよい。また、バイアス紐３ａ（３ｂ）を連結する場所は、座布団２ａ，２ｂ（２ｃ，２ｄ）の一直線に並ぶ厚み外縁であることが好ましいが、これに限定されず、座布団どうしの対向し合う辺に縫い付けて繋いでもよいし、座布団自体の中央部に縫い付けてもよい。さらに、バイアス紐３ａ（３ｂ）を縫合した例について説明したが、一対の座布団を分離不可に連結するものであればこれに限定されず、例えば接着固定やリベット止めであってもよい。
【００４７】
また、二枚の座布団を連結した例について説明したが、連結する座布団の数は、三枚や四枚のように複数枚数であればよい。また、二枚の座布団を間隔をあけて連結した例について説明したが、隣接して（くっついて）連結してもよい。
【００４８】
また、座布団２ａ〜２ｄが四角形状である例について説明したが、３角形や５角形、６角形などの多角形状であってもよいし、円形や楕円形状であってもよい。
【００４９】
また、座布団２ａ，２ｂの大きさは、略二人用の大きさであれば本例とは異なってもよく、座布団２ｃ，２ｄの大きさは、略一人用の大きさであれば本例とは異なってもよい。
【符号の説明】
【００５０】
１，１ａ，１ｂは桟敷用連結座布団、２ａ，２ｂ，２ｃ，２ｄは座布団、３ａ，３ｂは紐状体、５ａ，５ｂは縫合部、９ａ，９ｂは仕切表示、１０ａ，１０ｂは桟敷台、１１は敷物、１５ａ，１５ｂは履物置き部である。
【図１】
0003152942.tif 000003
【図２】
0003152942.tif 000004
【図３】
0003152942.tif 000005